(57)【要約】【課題】防虫網の暗箱への取付を簡単にすると共に製造工程において取付作業を自動化することを容易に可能とする。【解決手段】暗箱１０に形成された突起部１３に防虫網２０の一端に穿設された挿入孔２２ａが挿入された状態で、暗箱１０を１回転させて防虫網２０を暗箱１０に巻き付け、防虫網２０の他端に穿設された挿入口２２ｂを突起部１３に取り付けることにより、防虫網２０を暗箱１０に取り付ける構成とした。さらに突起部１３を熱でかしめたり、または超音波溶着することで、防虫網２０を暗箱１０に確実に固定する構成とした。【選択図】    図４
2005011136.tif 000002
【特許請求の範囲】
【請求項１】
煙が流入する流入口と、該流入口以外の位置に設けられた係止部を有する暗箱と、該係止部に係止するための係止受部が設けられた防虫網とを有することを特徴とする火災感知器。
【請求項２】
前記係止部が突起部であり、前記係止受部が防虫網に穿設された挿入孔であることを特徴とする請求項１記載の火災感知器。
【請求項３】
前記防虫網を係止した後、前記突起部を熱でかしめることまたは超音波溶着することで防虫網を固定することを特徴とする請求項２記載の火災感知器。
【請求項４】
前記挿入孔が前記防虫網の両端部の所定位置に穿設されていることを特徴とする請求項２または３記載の火災感知器。
【請求項５】
前記防虫網が前記暗箱に巻き付けられることを特徴とする請求項１乃至４記載の火災感知器。
【請求項６】
前記防虫網の両端部の前記係止受部を前記係止部で重合させて係止することを特徴とする請求項１乃至５記載の火災感知器。
【発明の詳細な説明】
【０００１】
【発明の属する技術分野】
本発明は防虫網を有する火災感知器に関するものである。
【０００２】
【従来の技術】
火災感知器の１つである煙感知器において、検出部に虫や塵埃等が入るのを防ぐために、非常に目の細かい金属製の網（防虫網）を円筒形にして、樹脂製で円筒形の煙流入部（暗箱）に取り付ける火災感知器が知られている。
（例えば、特許文献１参照）。
【０００３】
【特許文献１】
特開平１１−２０３５７１号公報（第３頁、第３図）
【０００４】
【発明が解決しようとする課題】
上記の煙感知器では防虫網を逆向きに装着してしまうミスを防げる点ではきわめて好評であるが、防虫網の暗箱への取付作業は人手で行っていたため、作業効率が余りよいものではなかった。また取付時に防虫網の上下端部が暗箱樹脂に当たり、装着が難しかったり、最悪の場合防虫網を変形させてしまうことがあった。
【０００５】
本発明は、防虫網の暗箱への取付を簡単にするとともに製造工程において取付作業を容易に自動化することを目的とする。
【０００６】
【課題を解決するための手段】
上記課題を解決するため、本発明の請求項１記載の発明における火災感知器は、煙が流入する流入口と、該流入口以外の位置に設けられた係止部を有する暗箱と、該係止部に係止するための係止受部が設けられた防虫網とを有する構成とした。
【０００７】
請求項１記載の発明によれば、防虫網を直接暗箱に取り付けるため、組立が容易となり、さらに製造工程において自動化することが容易であり、製造コストを下げることができる。
【０００８】
また、請求項２記載の発明は、請求項１記載の火災感知器において、前記係止部が突起部であり、前記係止受部が防虫網に穿設された挿入孔である構成とした。
【０００９】
請求項２記載の発明によれば、防虫網に穿設された挿入孔を突起部に挿入することで、確実に係止することができる。
【００１０】
請求項３記載の発明は、請求項２記載の火災感知器において、前記防虫網を係止した後、前記突起部を熱でかしめることまたは超音波溶着することで防虫網を固定する構成とした。
【００１１】
請求項３記載の発明によれば、防虫網を暗箱に固定したためさらに組立が容易となり、また防虫網が変形するおそれがなくなる。
【００１２】
請求項４記載の発明は、請求項２または３記載の火災感知器において、挿入孔が防虫網の両端部の所定位置に穿設されている構成とした。
【００１３】
請求項４記載の発明によれば、挿入孔が所定位置に穿設されているので防虫網取付時の位置決めが容易である。
【００１４】
請求項５記載の発明は、請求項１乃至４記載の火災感知器において、前記防虫網が前記暗箱に巻き付けられる構成とした。
【００１５】
請求項５記載の発明によれば、防虫網の取付が簡単な巻き付け作業であるので、製造工程の自動化が容易に可能となる。
【００１６】
請求項６記載の発明は、請求項１乃至５記載の火災感知器において、前記防虫網の両端部の前記係止受部を前記係止部で重合させて係止する構成とした。
【００１７】
請求項６記載の発明によれば、防虫網を暗箱に取り付ける際にずれが生ずることなく、確実に取り付ることができる。
【００１８】
【発明の実施の形態】
以下、この発明の実施の形態について、図面を参照しながら説明する。
図１は火災感知器１の断面図である。
火災感知器１は暗箱１０、防虫網２０、火災感知や信号処理を行う回路基板３０、本体ボディ４０、カバー５０から構成される。なお本発明の要旨ではない回路基板３０、ボディ４０、カバー５０については説明を省略する。
【００１９】
図２は暗箱を示す図である。
暗箱１０は火災時に発生する煙が流入する流入口１１、側壁１２、側壁１２に一体成形され外部に突出する突起部１３から構成される。
なお図示しない内部はラビリンス構造となっており、流入口から内部に光が入り込まない様になっている。
【００２０】
なお本実施例では係止部の一例として突起部１３をあげたが、必ずしも係止部の形状は突起状でなくとも良く、係止機能を実現するものであればよい。また突起部１３は２個形成されているが、１つでも、また複数個設けられていても良い。
【００２１】
図３は防虫網２０を示す図である。
防虫網２０は非常に薄い金属薄板で形成され、多数の開口２１が設けられている。この開口２１は煙粒子は通過するが、虫や塵埃等は通過できない様な大きさで形成される。なお防虫網２０の高さは暗箱１０の高さとほぼ同じである。
【００２２】
さらに防虫網２０の両端には突起部１３の直径よりやや大きい大きさで穿設された挿入孔２２ａ、２２ｂが設けられている。
なお本実施例では係止受け部の一例として挿入孔２２ａ、２２ｂをあげたが、必ずしも孔でなくとも良く、係止機能を実現するものであればよい。
【００２３】
図４は暗箱１０への防虫網２０の取付を示す図である。
まず図４（ａ）のように暗箱１０に形成された突起部１３に防虫網２０の一端に穿設された挿入孔２２ａが挿入される。この状態で、暗箱１０を１回転させて防虫網２０を暗箱１０に巻き付ける。
【００２４】
防虫網２０が暗箱１０に巻き付けられると、防虫網２０の他端に穿設された挿入口２２ｂを突起部１３に取り付けることにより、図４（ｂ）に示す様に防虫網２０の取付が完了する。なおこの取付は防虫網２０の一端を取り付けた状態で暗箱１０を１回転するといった比較的単純な作業であるため、製造工程において自動化することが容易となる。
【００２５】
ここで係止するだけでも防虫網２０を取り付けることができるが、さらに突起部１３を熱でかしめたり、超音波溶着したり、圧入したりすることで、防虫網２０を暗箱１０に確実に固定することができる。
【００２６】
このように防虫網２０を暗箱１０に固定することにより、火災感知器１の組立時に防虫網２０がずれたりすることがなくなるので、組立が容易であり、さらに防虫網２０の変形を防ぐことができる。
【００２７】
さらに防虫網２０を暗箱１０に取り付ける際に、挿入孔２２ａ、２２ｂを突起部１３で重合させることにより、暗箱１０と防虫網２０との間に隙間やずれを生じることがなく、確実に取り付けることができる。
【００２８】
【発明の効果】
請求項１記載の発明によれば、防虫網を直接暗箱に取り付けるため、組立が容易となり、さらに製造工程において自動化することが可能となり、製造コストを下げることができる。
【００２９】
請求項２記載の発明によれば、防虫網に穿設された挿入孔を突起部に挿入することで、確実に係止することができる。
【００３０】
請求項３記載の発明によれば、防虫網を暗箱に固定したためさらに組立が容易となり、また防虫網が変形するおそれがなくなる。
【００３１】
請求項４記載の発明によれば、挿入孔が所定位置に穿設されているので防虫網取付時の位置決めが容易である。
【００３２】
請求項５記載の発明によれば、防虫網の取付が簡単な巻き付け作業であるので、製造工程の自動化が容易に可能となる。
【００３３】
請求項６記載の発明によれば、防虫網を暗箱に取り付ける際にずれが生ずることなく、確実に取り付ることができる。
【図面の簡単な説明】
【図１】本発明の火災感知器の断面図である。
【図２】本発明の暗箱を示す図である。
【図３】本発明の防虫網を示す図である。
【図４】暗箱に防虫網を取り付ける状態を示す図である。
【符号の説明】
１                火災感知器
１０              暗箱
１３              突起部（係止部）
２０              防虫網
２２ａ、２２ｂ    挿入孔（係止受部）
【図１】
2005011136.tif 000003
【図２】
2005011136.tif 000004
【図３】
2005011136.tif 000005
【図４】
2005011136.tif 000006